(57)【特許請求の範囲】
【請求項１】
遺体の体腔内に挿入されて、体液を吸収して膨張してその場に留まって体腔の通路を封止し、体液の漏出を防止する体腔封止部材であって、
前記体腔封止部材は、アクリル繊維で形成された芯材である内層及び該内層を囲撓するように形成され該内層よりも高い吸水性と膨潤性とを有する外層を備えた２層構造の多数の繊維体を略円柱を形作るように束ねてなる略円柱形状の成形体から形成され、
前記成形体の軸線方向の一端部が軸線方向の一端に近づくにつれて細くなるように先細に形成され、該成形体を構成する多数の繊維体の末端のそれぞれを、該成形体の軸線方向の一端部の表面上に露出させ、該繊維体の末端同士が加熱溶着されて該成形体の軸線方向の一端部の表面が該繊維体の末端の加熱溶着前よりも滑らかな面とされ、
前記成形体は、軸線方向の一端部から体腔へ挿入されるとともに、前記繊維体が体腔内の体液を吸収して膨張することにより、体腔の通路内壁に密着して該通路を封止することを特徴とする、体腔封止部材。
【発明の詳細な説明】
【技術分野】
【０００１】
本発明は、遺体の体腔から出る体内物質の遺漏防止および遺漏に伴う周囲への汚染・感染を防止するための遺体の体腔封止部材に関し、特に肛門・女性の膣等の下半身の体腔から出る体内物質の遺漏防止および遺漏に伴う周囲への汚染・感染を防止するための遺体の体腔封止部材に関する。
【背景技術】
【０００２】
従来、人間は死後、体腔各部の筋肉が弛緩し、体腔内の汚物が遺漏することが多い。また、生前の治療等での点滴により、死後の体内に多量の体液を保有していることが多い。特に下半身の体腔、即ち肛門は、肛門筋が弛緩して肛門が開口することにより、内部の汚物が遺漏することが多い。また、女性の膣腔は、多量の体液が遺漏することが多い。この遺漏を防ぐため、膨大な脱脂綿を死後硬直の起こる前に、肛門や膣腔に詰めることで遺漏を防いでいる。
【０００３】
この作業の多くは看護士の手によって行われる事が多く、その作業の煩雑さや不衛生さと同時に、作業従事中にこの遺漏物質から作業者へ細菌やウイルスなどが感染してしまう可能性もあり、この感染を確実に防止することが強く求められている。しかし、今まで、それに対する対策としては、実現できる良いものが無かった。
【０００４】
例えば、死後の遺体各部の体腔、特に肛門・女性の膣腔等の下半身の体腔による内部汚物の遺漏を防ぐため、「おむつ」を用いることがよく行われている。この場合、「おむつ」では、必ずしも完全に汚物の遺漏が防げるものではなく、遺漏による汚染が起こる。また、おむつ交換時の洗業で汚物に接触する事は不可避である。これらを原因として保菌者の場合、周囲への感染の可能性もある。
【０００５】
そこで、上記の問題点を解消し、遺体の肛門・女性の膣腔等の下半身体腔内物質が遺漏することを防ぐ体腔封止部材として、体腔封止部材を直腸・女性の膣腔等の下半身体腔内に直接挿入するものが知られている。（例えば、特開２００１−１６１７３３号公報及び特開２００３−１１１８３０号公報）
【０００６】
特開２００１−１６１７３３号公報の体腔封止部材は、図２０に示すように、栓部（１０１）を肛門に挿入後、該栓部（１０１）と肛門当て部材（１０２）との結合部（Ａ）の開口部（１０８）にガス注入器（Ｙ）を差し込み、栓部（１０１）内部にガスが充填される。このガスは、栓部（１０１）内から、ガス導入穴（１０６）を通って逆流防止弁（１０７）を開けて調整室（１０５）に送り込まれ、調整室（１０５）を膨らませる。このことにより、可撓性部材（１０４）が肛門内壁に密着するようになり、肛門が封止される。１１２は潤滑剤層を示す。
【０００７】
特開２００３−１１１８３０号公報の体腔封止部材２００は、図２１及び図２２に示すように、円柱状の高吸水性繊維成形体２０１と、その上に被覆した水溶性シート２０２と、さらにその上に潤滑剤２０３を被覆したものからなる。体腔封止部材２００は、挿入し易いように先端が先細に形成されている。高吸水性繊維成形体２０１としては、例えばアクリル繊維で形成された芯となる内層と、この内層を囲撓するように配設された高吸水性で吸水後膨潤するように加工処理された外層とを有する二重構造の水膨潤性繊維（商品名ランシールＦ、東洋紡績製）が開示されている。この高吸水性繊維成形体２０１の表面に薄い水溶性シートが巻かれている。
この体腔封止部材２００は、保護カバー部材からなる袋体２０４に包み込まれている。
【０００８】
−解決課題−
特開２００１−１６１７３３号公報の体腔封止部材１００は、栓部（１０１）が肛門に挿入された後、膨潤した調整室（１０５）と肛門当て部材（１０２）との間に肛門の一部が埋まるようになり、栓部（１０１）が肛門の奥に入り込んだり、逆に肛門から飛び出たりすることが防止される。
【０００９】
しかし、肛門当て部材（１０２）が肛門から飛び出て見えている状態であり、遺体は自然体でなく、何らかの処置をされているのが外部から見える状態であり、遺族や遺体処置をする看護士などからは、使用を拒否されることが多い。
【００１０】
また、ガスで膨らませるための装置Ｙが必要であり、且つこのガスが漏れないように密封する必要がある。従って、体腔封止部材としては扱いが容易でなく、漏出防止機能も十分とは言えなかった。特に体液を吸収して膨らむものではないので、僅かな隙間でもあると体液が漏出することがあり、体腔封止部材として機能が十分でなかった。ガス圧の調整も困難であった。
【００１１】
特開２００３−１１１８３０号公報の体腔封止部材２００では、使用時、袋体２０４を開封して体腔封止装置２００を取り出し、先細になっている方を遺体の肛門に向け、肛門から挿入し、奥の直腸まで押し込むようになっている。体腔封止部材２００は肛門から挿入して直腸まで押し込まれ、遺体の外部からは見えなくなるので、外観上で遺族等から使用を拒否されることはない。また、体腔封止部材２００は高吸収性繊維の成形体２０１が水溶性のシート２０２で包まれており、その外側にはグリセリンなどの潤滑材２０３が塗布されているので、肛門から無理やり挿入する際に、滑って入り易く工夫してある。
【００１２】
しかし、作業する看護士などの個人差により、うまく肛門から奥の直腸まで入り込まないことがある。これは、繊維成形体２０１を水溶性シート２０２で覆い、潤滑剤２０３を塗布しても、水溶性シート２０２と潤滑剤２０３の両層は薄く且つ柔軟であるため、肛門の内壁筋に接触したときにうまく滑らなくて挿入できないためと思われる。また、繊維成形体２０１の先端部分では、周囲を覆ったシート２０２が捩られて重なっているので、この点も挿入作業上で不利な形状になっている。
【００１３】
特に、繊維成形体２０１を水溶性シート２０２で覆う作業は、矩形状の水溶性シート２００２を繊維成形体２０１の周囲に被せ、繊維成形体２０１の先端部では水溶性シート２０２を摘まんで、繊維成形体２０１の先細形状に沿わして絞りながら捩じっており、繊維成形体の後端部でも水溶性シート２０２を摘まんで重ねながら捩じって取り付けている。
【００１４】
そのために、水溶性シート２０２を繊維成形体２０１の周囲に取り付ける作業は、手作業であり、自動化しにくく量産性に適していない。また、作業者が水溶性シー２０２を繊維成形体２０１に被せた後、水溶性シート２０２を強く捩じると破れることもあり、逆に弱いと繊維成形体２０１から外れることもあり、作業性が安定しなかった。製造コストも高くなっている。
【００１５】
そこで本発明は、上記の問題点に鑑みてなされたものであり、その目的とするところは、死後の直腸・女性の膣腔等の下半身の体腔内物質が遺漏することを防ぐとともに、この作業に従事する従業者あるいは看護人の作業の簡素化を図り、従業者、看護人や周囲への体内物質遺漏による感染を防止できる衛生的な体腔封止部材を提供することにある。
【発明の開示】
【００１６】
本発明の体腔封止部材は、遺体の体腔内に挿入されて、体液を吸収して膨張してその場に留まって体腔の通路を封止し、体液の漏出を防止する体腔封止部材であって、前記体腔封止部材は、アクリル繊維で形成された芯材である内層及び該内層を囲撓するように形成され該内層よりも高い吸水性と膨潤性とを有する外層を備えた２層構造の多数の繊維体を略円柱を形作るように束ねてなる略円柱形状の成形体から形成され、前記成形体の軸線方向の一端部が軸線方向の一端に近づくにつれて細くなるように先細に形成され、該成形体を構成する多数の繊維体の末端のそれぞれを、該成形体の軸線方向の一端部の表面上に露出させ、該繊維体の末端同士が加熱溶着されて該成形体の軸線方向の一端部の表面が該繊維体の末端の加熱溶着前よりも滑らかな面とされ、前記成形体は、軸線方向の一端部から体腔へ挿入されるとともに、前記繊維体が体腔内の体液を吸収して膨張することにより、体腔の通路内壁に密着して該通路を封止することを特徴とする。
【図面の簡単な説明】
【００１７】
【図１】本発明の実施形態に係る体腔封止部材を示す。
【図２】体腔封止部材の多孔質繊維体の部分拡大断面図を示す。
【図３】体腔封止部材が棒形状にある時の斜視図を示す。
【図４】体腔封止部材の先端部分を切断した状態にある時の斜視図を示す。
【図５】体腔封止部材の先端部分を加熱処理した状態にある時の斜視図を示す。
【図６】図５に示す体腔封止部材の切断面の部分断面図を示す。
【図７】体腔封止部材の外観斜視図を示し、上段が加熱処理前の状態、下段が加熱処理後の状態を示す。
【図８】体腔封止部材の切断面（加熱前）の３０倍顕微鏡写真を示す。
【図９】体腔封止部材の切断面（加熱前）の６０倍顕微鏡写真を示す。
【図１０】体腔封止部材の切断面（加熱後）の３０倍顕微鏡写真を示す。
【図１１】体腔封止部材の切断面（加熱後）の６０倍顕微鏡写真を示す。
【図１２】体腔封止部材の直腸内への装填時の状態を説明する図である。
【図１３】体腔封止部材の直腸内への装填後の状態を説明する図である。
【図１４】遺体の体腔閉塞装置を一緒に使用する遺体の処置装置の例を示す。
【図１５】遺体の処置装置で追加使用する備品を示す。
【図１６】遺体の処置装置で追加使用する別の備品を示す。
【図１７】遺体の処置装置で追加使用する更に別の備品を示す。
【図１８】遺体の処置装置で追加使用する耳栓及び鼻栓を示す。
【図１９】潤滑剤を示す。
【図２０】従来技術を示す。
【図２１】別の従来技術を示す。
【図２２】図２１の従来例の部分断面図を示す。
【発明を実施するための最良の形態】
【００１８】
以下、本発明の実施形態を図面に基づいて詳細に説明する。
【００１９】
体腔封止部材１０は、図１に示すように、一方の端が先端に行くにつれて先細（テーパ状）に形成された円柱状の高吸水性多孔質繊維成形体１１からなる。繊維成形体１１は、図２に示すような断面形状を有する水膨潤性繊維１２を束ねて円柱形状とした多孔質の成形体であって、高吸水性繊維１２としては、吸水して直径が２．５倍以上に膨張する高吸水性多孔質繊維成形体（商品名ランシールーＦ、東洋紡績製）を使用した。水膨潤性繊維１２は、アクリル繊維で形成された芯となる内層１２ａと、この内層１２ａを囲撓するように配設された高吸水性で吸水後膨潤するように加工処理された外層１２ｂとを有する二重構造の多孔質の繊維である。この成形体１１は直径２２ｍｍ、長さ８０ｍｍのものを作成した。
【００２０】
図３〜図５は、体腔封止部材１０の先端部分の製造工程を示す。図３に示すように、所定長さの円柱形の高吸水性繊維成形体１１を用意する。この一方の端部を切断刃等（図示せず）を使って切断し、図４に示すように先細形状（略円錐形状）の切断面１５ａを形成する。この略円錐形状のテーパ部以外の部分は円柱状部分１７である。符号１６は頂部である。そして、この切断面１５ａを加熱する金型２０を用意する。この金型２０は、切断面１５ａが当接する略円錐形状の凹部１９を備え、この凹部１９が略２００℃に加熱されている。図５に示すように、この金型１８の凹部１９に体腔封止部材１０の切断面１５ａを軽く押し当てて、表面を加熱して溶かす。この実施形態では、加熱温度が２００℃で、加熱時間は１０秒とした。これによって、図１に示すように、切断面１５ｂの表面が滑らかになった体腔封止部材１０が得られる。なお、切断したままの状態の切断面１５ａと加熱処理した後の切断面１５ｂについては、後で詳細に説明する。
【００２１】
加熱処理後の切断面１５ｂの断面図を図６に示す。切断面１５ｂの表面は溶けて硬化されており、円柱状部分１７よりも硬度が高くなっている。切断面１５ｂの硬化層Ｋは先端の先細部分（頂部）１６のほうが深く、後端部分（円柱状部分）側のほうが順次浅くなっている。金型１８の凹部１９の温度は同じであっても、先端部分１６では繊維体が少なく、後端部分側のほうでは繊維体が多いため、上記のような硬度深さの差が生じるものと思われる。また、切断面１５ｂの最表面の硬度も先端部分１６のほうが切断面１５ｂの後端部分側よりも少し高い結果となっている。
【００２２】
このように、切断面１５ｂが硬くされ硬度が高くされているため、体腔封止部材１０を下半身の体腔、例えば肛門から直腸に挿入する際に、肛門や直腸の内壁に接触しても切断面１５ｂが変形することなく奥に挿入できるメリットを有している。特に、頂部１６がより高硬度になっているので、変形防止上では、好都合となっている。
【００２３】
なお、金型１８の凹部１９は、ほぼ切断面１５ａの形状に一致しているが、切断面１５ａの最も先端（頂部）１６は金型２０の凹部２１に接触しないように形成されている。この頂部１６が凹部２１に当接している場合には、切断面１５ａ全体表面が加熱されて溶けて表面全体が滑らかになるまで加熱すると、この頂部１６が加熱され過ぎて焼ける可能性があり、敢えて当接しないようにしている。
【００２４】
なお、本実施形態では加熱温度や加熱時間の制御が容易であるので、頂部１６が金型１８の凹部１９に当接しないようにしているが、加熱温度及び加熱時間の制御を高精度に行うようにすれば、頂部１６も含めて切断面１５ｂ全体が接触するようにしても良い。
【００２５】
また、金型１８の凹部１９の深さは、切断面１５ｂ全体が滑らかな表面になるようにするために、切断面１５ｂの全体が丁度入り込む深さにするか、切断面１５ｂの深さ以上の深さにすることが好ましい。
【００２６】
次に、切断面１５ａ及び１５ｂの表面状態を説明する。
【００２７】
図４に示す繊維成形体１１、即ち先端部分を切断刃等で切断した切断面１５ａを有する繊維成形体１１の外観図を図７の上段に示し、図４に示す繊維成形体１１、即ち加熱処理した後の切断面１５ｂを有する繊維成形体１１の外観図を図７の下段に示す。そして、図７上段の切断面１５ａの一部を拡大した３０倍顕微鏡写真及び６０倍顕微鏡写真を図８及び図９に示す。図７下段の切断面１５ｂの一部を拡大した３０倍顕微鏡写真及び６０倍顕微鏡写真を図１０及び図１１に示す。
【００２８】
図８及び図９に示すように、切断面１５ａには、繊維１２の切断部分（繊維体末端）がランダムに露出しており、この切断面１５ａを頂部１６から円柱状部分１７側に向かって手で触ると、手にザラザラと当たる感触があり、場所によっては、刺さるような感触がある。この表面状態では、下半身の体腔、例えば肛門から直腸に挿入した際には、この切断面１５ａが肛門や直腸の内壁に刺さるか大きな摩擦抵抗となり、奥に挿入することの妨げになっている。
【００２９】
本発明の実施形態では、図１０及び図１１に示すように、繊維１２の切断面１５ｂの表面は、繊維体が加熱されて溶けて滑らかな表面となっており、繊維体同士が溶融して接合しており硬くなっている。切断時に生じた切断面１５ａの繊維体末端がそのまま露出することがほとんどなくなっており、頂部１６から円柱状部分１７側に向かって手を接触させて移動させてもザラザラするような感触はなく、特に刺さるような抵抗感が全くなく、滑らかである。つまり、切断面１５ａに露出していた繊維体末端が他の繊維体に溶融接合されて、加熱処理前の切断面１５ａに比べて加熱処理後の切断面１５ｂの方が摩擦係数が小さくなっている。この滑らかさであれば、肛門や直腸の内壁に接触しても抵抗なく奥に挿入できるものである。
【００３０】
なお、繊維成形体１１の円柱状部分１７は、棒形状の繊維成形体１１を成形した際に、ある程度滑らかな表面となっており、この表面に対しては潤滑剤を塗布することで、肛門に挿入可能であり、潤滑剤を塗布する以上の特別な滑らせるための対策は必要ない。
【００３１】
次に先細形状の繊維成形体１１からなる体腔封止部材１０の使用例を説明する。
【００３２】
図１２及び図１３は、体腔封止部材１０を直腸の封止に使用した例を示す。
【００３３】
図１２は、直腸用の体腔封止部材１０を肛門Ｈから直腸Ｇに挿入した状態を説明する図であり、図１３は直腸用の体腔封止部材１０が膨張した状態を説明する図である。体腔封止部材１０の切断面１５及び円柱状部分１７に潤滑剤３５を塗布し、先細になった切断面１５ｂから肛門Ｈに挿入する。切断面１５ｂは加熱され溶けているので、潤滑剤３５を塗布した際に、切断面１５ｂでは、潤滑剤３５が繊維成形体１１の内部に浸透されにくく切断面１５ｂに表面に残リ易いため、肛門Ｈの内壁に当接しても滑って奥に挿入し易くなっている。その上、切断面１５ｂの表面が硬化されているので、肛門Ｈや直腸Ｇの内壁に当接して変形することが効果的に防止され、奥に挿入され易くなっている。
【００３４】
挿入後は直腸Ｇ内の体液が繊維成形体１１に吸収される。繊維成形体１１の水膨潤性繊維１２の高吸水性外層１２ｂが急速に膨張し、繊維成形体１１の外表面が直腸Ｇ内壁に達する。これによって、直腸Ｇが封止され、体液漏出が防止される。特に、切断面１５ｂは加熱され溶けているため、体液が浸透しにくく、体液を吸収しても膨張しにくい。そのため、体液は体腔封止部材１０の円柱状部分１７のほうに素早く吸収される傾向にある。そのため、円柱状部分１７のほうが素早く膨張し、挿入端は頂部１６を先端とする円錐形状に膨張する傾向になる。直腸用の体腔封止部材１０は、頂部１６よりも円柱状部分１７が素早く膨張するので、直腸Ｇから抜け出ることが素早く防止でき、体液漏出を効果的に防止できる。
【００３５】
なお、上記実施形態では、直腸用体腔封止部材１１の大きさは直径２２ｍｍ、長さ８０ｍｍのものを使用したが、この大きさに限られるものではない。肛門Ｈの体腔（直腸Ｇ）内に挿入するの際して、直径が小さいほど挿入し易いが、挿入後に膨潤して直腸壁に密着する大きさに拡大するまでに時間がかかる問題を有する。逆に大きすぎると肛門Ｈに挿入しにくい。したがって、直径を１０〜２５ｍｍとすることが好ましい。また、長さが短いほど挿入し易いが、短すぎると膨潤する際の容積が不足し封止機能に劣るので、長さを４０〜１１０ｍｍとすることが好ましい。特に、長さを６０〜９５ｍｍとすることが好ましい。
【００３６】
この体腔封止部材１１は、構成要素の高吸水性繊維１２において、吸水後も内層１２ａの芯材が繊維としての形状を維持しているので、円柱部分１７は膨張後も略円柱形又は直腸Ｇ内壁の形状を保持し、直腸Ｇ内に確実に留め置かれる。また、吸水して径方向に急速に大きく膨張すると、直腸Ｇの通路内壁に速やかに密着し、密閉性（シール性）を発揮するので、好ましい。そのために、高吸水性繊維１２は吸水して径が２．５倍以上になるものが良い。特に径が５倍以上になるものが更に良く、径が１０倍以上になるものがもっと好ましい。このように径が膨張するということは、それだけ吸水能力が高いことであり、径が大きく膨張するものが好ましい。特に、内層１２ａがアクリロニトリル系重合体からなる繊維であって、５〜２００ｃｃ／ｇの水膨潤度を有するものが好ましい。特に外層１２ｂがカルボキシル基を含むと、アンモニアの吸着性を有するので、臭気などを吸収してくれ好ましい。カルボキシル基の含量は０．５〜４．０ｍｍｏｌ／ｇが好ましい。なお、高吸水性繊維１２の外層１２ｂは、アクリル繊維をアルカリ金属水酸化物水性溶液によって処理し、外繊維の外層部分のみを親水架橋化したものである。このように処理をすると、アルカリ金属塩型のカルボキシル基がアクリル繊維に導入される。
【００３７】
尚、吸湿することを防止することを狙いとして、体腔封止部材１０を密閉袋体（例えばプラスチック製、銀紙製等）に収納しておき、使用時にこの密閉袋体を開封して使用するようにすると好ましい。この状態で用意しておき、使用時には、図１９に示す別に用意した容器３４中の潤滑剤３５を成形体１１（切断面１５及び円柱状部分１７）の外表面に塗布し、肛門Ｈに入り易くする。その潤滑剤３５としては、容器３１に入れてあるグリセリンを使用する。グリセリンが透過して成形体１１内部に浸透する可能性をできるだけ避けるためにも、このグリセリンは体腔封止部材１０の使用直前に塗布されることが好ましい。
【００３８】
成形体１１の先端を先細に形成するのは、体腔封止部材１０を肛門Ｈ内に挿入し易くするためであり、先細の形状は上記実施形態に限られるものではない。例えば、一方からのみ、傾斜面を形成したものであっても良く、傾斜角度が異なった傾斜面であっても良い。また、円錐上に形成しなくて多角面等の傾斜面を形成したものであっても良い。また、先端が断面楕円形に形成したものであっても良い。
【００３９】
上記実施形態１では、先細形状の切断面１５を切断刃で形成したが、この切断方法に限られるものではなく、鋏等で切断するようにしても良い。また、レーザー等で切断するようにしても良い。レーザで切断すると加熱処理も同時に行われる。
【００４０】
上記実施形態では、加熱処理は、加熱した金型の凹部に押し付けるようにしたが、この実施形態に限られるものではなく、高周波加熱などの加熱処理方法を使用しても良い。また、切断刃で粗加工した後、仕上げ加工の切断刃（或は加熱ワイヤ等）を加熱しておき、この切断刃で最終切断と同時に表面を加熱処理するようにしても良い。また、一度に加熱ワイヤ等で切断と同時に切断表面の加熱処理が出来るものであっても良い。
【００４１】
（参考例）
図１４は上記体腔封止部材１０とともに、咽喉部や口中などの遺体の体腔を密閉する備品とを一緒にした遺体の処置装置２０を示す。
【００４２】
この例では、遺体処置装置２０は、鼻穴から挿入して咽喉部を封止するシリンジ２１と、シリンジ２１の先端に取り付けられて鼻穴に挿入される挿入管２３を有する。シリンジ２１内には、高吸収性樹脂粉末が分散混合されたゼリー体２２が充填されている。挿入管２３は、挿入管本体２４と、後端にはシリンジ２１の注入先端に接続される接続部２５と、先端には挿入管開口部２６とを備える。２７は挿入管２３をカバーするカバー部材を示す。
【００４３】
高吸水性樹脂粉末はゼリー体２２の中に５，０００個以上／ｍｌ分散しており、溶剤１００重量部に対して増粘材が０．０２〜０．１５重量部含まれ、粘度が８，０００〜４０，０００ＣＰであることが好ましい。特に、高吸水性粉体がゼリー体２２の中に１７，０００個／ｍｌ〜２９，０００個／ｍｌ分散し、さらには、高吸水性微粉体が２０〜１５０メッシュの粉体からなり、ゼリーの中に１８，０００個／ｍｌ〜２５，０００個／ｍｌ分散しているのが好ましい。
【００４４】
シリンジ２１内のゼリー体２２は、エチレングリコール、プロピレングリコール、ジエチレングリコール、メタノール、エタノール、グリセリンの少なくとも２１種を含み、ゼリー体２２には、アルコール系主成分１００重量部に対し、アクリル酸重合体が０．０１〜１．０重量部、中和剤が０．０３〜０．７重量部含まれ、ゼリー体２２の粘度が８，０００〜４０，０００ＣＰであり、ゼリー体２２のＰＨが６〜８であることが好ましい。
なお、ゼリー体２２を充填したシリンジ２１、ゼリー体２２及び挿入管２３の構成は、特開２００２−２７５００１に開示されたものが採用できるものであり、ここではこれ以上の詳細な説明を省略する。
【００４５】
２８は口中に装填する綿体を示す。この綿体２８を口中に装填することで、口中の唾液等の液体漏出を確実に防止できる。その上、この綿体２８を両ほっぺたに位置させた場合、吸液して膨張した綿体が両ほっぺたの形を整えることにも役立つ優れた機能を有する。特に老人では入れ歯を取るとほっぺたが引っ込んでみすぼらしい形になるが、この綿体をほっぺたの内側に位置させることで、綿体が適当なふくらみを有することとなり、ほっぺたを適正な形に維持できる。前記綿体２８には、単に綿体だけでなく、４×４ｃｍの綿体に対して、ゼリー体が０．５ｇ〜２．０ｇ含まれるものが好ましい。４×４ｃｍの綿体の場合には、４〜５枚重ねて用意することが好ましい。綿体２８は密封袋体からなる容器２９に入れられている。以上の体腔封止部材１０、シリンジ２１、挿入管２３、カバー部材２７および綿体２８は、不図示の袋体中に収められており、遺体を処置する際に遺体の各体腔からの遺漏を防止するために必要なものが揃うので、特に、肛門や膣腔等の下半身の体腔、咽喉部及び口中の処置品が揃っているので、遺体の体液漏出防止用の処置が短時間で間違いなく出来る。
【００４６】
図１５ないし図１８は、遺体の処置装置において、それらを収める袋体中に追加しても良い備品を示す。
【００４７】
図１２は、ゴム手袋３１を示し、これは、体腔封止部材１０やシリンジ２１等の遺体の処置装置の備品を取り扱う際及び遺体を取り扱う際に使用する。この手袋３１を追加することで、作業者の衛生上に必要な手袋を探す手間が省け、感染等を確実に防止でき安全性を高められる。
【００４８】
図１６は、紙製の手拭用濡れティッシュ３２であって、消毒剤として二酸化塩素が含まれている。作業者が遺体の処置をしている際や処置後の簡単な手拭き用として使用する。手拭用濡れティッシュ３２はプラスチック製密閉袋体に収納されている。この手拭用濡れティッシュ３２を加えることで、更に、感染等を防止でき安全性を高められる。
【００４９】
図１７は、収納用袋体３６であって、遺体処置後の体腔封止部材１０を収容した袋体、シリンジ２１、挿入管２３、容器２９、カバー部材２７等を収納する。この収納用袋体３６は、遺体の体液等がしみ出てこないように浸出防止処理が施されており、収納用袋体３６に収納することで、これらのものが散在することを防止し、汚染や感染を防止する。
【００５０】
図１８は、耳栓及び鼻栓用の封止部材３３を示す。封止部材３３は耳栓及び鼻栓用にそれぞれ２つずつ有し、計４つ有する。各封止部材３３は球状の綿材３３ａからなり、中央に高吸収性樹脂を含むゼリー体３３ｂ、即ちシリンジ２1内のゼリー体２２と同じゼリー体が入れてある。３３ｃは蓋部材を示す。封止部材３３は、円筒状の密閉プラスチック袋体３３ｄに収納されている。これを追加することで、更に確実に体液漏出を防止できる。なお、耳は体液の漏出が少なく、鼻は前述した咽喉部の体液漏出処置を行えば、漏出する体液は極めて少なくなるので、簡易タイプとして、単に綿材３３ｂからなる封止部材としても良い。なお、封止部材３３は円筒状の密閉プラスチック袋体３３ｄに収納したが、口中用の綿体２８と一緒に密閉プラスチック袋体２９に一緒に収納するようにしても良い。
【００５１】
図１９は、潤滑剤３５とその容器３４とを示す。この潤滑剤３５は、体腔封止部材１０の外表面や挿入管２３などに塗布して、遺体の体腔への挿入をスムースにする。このように潤滑剤３５を一緒に用意することで、塗布忘れを防ぐことができ、潤滑剤を探す手間を省ける。
【００５２】
なお、さらに、遺体処理に必要な用品、例えば、ガーゼ、脱脂綿、消毒剤、消臭剤、おしめ等一緒にして、キットとして用意しても良い。このようにすれば、遺体処理作業がスムーズに行われる。他にも、例えば、女性用に尿道用の封止部材、消臭剤、遺体の顔当てガーゼ、遺体の顎当てバンド、遺体の合掌バンド等を付け加えても良い。
【００５３】
また、咽喉部に挿入される高吸水性樹脂を含有するゼリー体としては、特開２００２−２７５００１に開示されたものが好適であり、詳細な説明は省略する。また、潤滑剤としては、グリセリン、ワセリンなどを用いる。
【００５４】
耳栓及び鼻栓用の封止部材としては、綿材の中に高吸収性樹脂を含むゼリー体が０〜１．５ｍｇ含有されていることが好ましい。前記口中用の綿体には、４×４ｃｍの綿体に対して、ゼリー体が０．５ｇ〜２．０ｇ含まれるものが好ましい。これらのゼリー体は、咽喉部のゼリー体と同様なものを使用することが好ましい。
【００５５】
前記体腔封止部材には一般的に知られている消臭剤、消毒剤の少なくとも1つが含まれるようにしても良い。同様に、咽喉部用のシリンジ中のゼリー体にも一般的に知られている消臭剤、消毒剤の少なくとも１つが含まれるようにしても良い。手拭用の紙製シートには消毒剤が浸透されていることが好ましい。
【００５６】
本発明の体腔封止部材は、アクリル繊維で形成された芯材である内層及びこれを囲撓するように形成された高吸水性外層を有する２層構造の多孔質繊維体からなる円柱状成形体であって、該多孔質繊維体は、体腔内の体液に接触すると速やかに吸水して膨張し、直径が約２．５倍以上に膨張するものであり、該体腔封止部材は、円柱状成形体の先端部分が先端になるに応じて先細になるように切断加工して形成され、この切断加工面に露出する多孔質繊維体の切断面が滑らかな面になるように加工処理されているので、封止部材を滑らかに遺体の体腔内に完全に埋没するよう挿入することができる。また、いったん挿入したら封止部材が速やかに体液を吸収して膨張し、体腔内壁に密着し、膨張した封止部材が体腔内に留め置かれるとともに、体液が体腔から流れ出てくることを確実に防止できる。特に、切断された先細部分の繊維体の切断面が滑らかな面になるように加工されているので、繊維体が挿入時の挿入抵抗になることを防止できるので、誰でも容易に挿入作業を行うことが出来る。
【００５７】
切断加工面に露出する多孔質繊維体の切断面は、加熱処理という簡単な加工処理で、最表面が溶けて切断エッジが滑らかな表面に変わるので、容易に挿入できる。
【００５８】
その上、挿入前に先細部分に塗布するグリセリン等の潤滑剤が、表面から内部に浸み込んでいくのが遅くなるので、挿入作業を容易にすることに貢献する。
【００５９】
また、加熱処理により硬化していると、先細部分が変形しにくくなっているので、挿入時に先端部分が変形したり折れ曲がる可能性がほとんどなくなり、挿入作業が容易となる。
【００６０】
また、加熱処理により先細部分が溶けて接合されていると、体腔に挿入後、体腔封止部材が体液を吸収して膨張する際に、先細部分が体液を吸収しにくいので、加熱処理されてない筒状部分が最速で体液を吸収して膨張し、繊維体は直に扇状に膨張する結果となり、体腔封止部材が抜け出ることが確実に防止され、且つ体腔を速やかに密閉することが出来る。
【００６１】
遺体の処置装置は、遺体を処置する際に遺体の各体腔からの遺漏を防止するために必要なものが揃っており、特に、肛門や膣腔等の下半身の体腔、咽喉部及び口中の処置品が揃っているので、遺体の体液漏出防止用の処置が短時間で間違いなく出来る。
【００６２】
本発明の体腔封止部材の製造方法において、円柱状成形体の先端部分が、先端になるに従って徐々に先細になるように切断加工された後、所定の温度範囲、所定の時間で加熱処理されることで、滑らかな表面を得られるので、挿入作業が容易となり、経験の浅い人たちでも簡単に下半身の体腔に挿入することが出来る。特に、水溶性シートなどで覆うことが不要となるので、製造工程を大幅に低減でき、製造コストが大幅に削減できる。
【００６３】
前記加熱処理は、前記体腔封止部材の先端部分の先細形状部分が挿入される凹部を備え、該凹部の表面が加熱されている金型に前記先細形状部分を押し当てて処理される場合には、簡単な熱処理で、繊維体の溶融による表面層の滑らかさ及び表面硬化層が得られるので、製造方法が容易で、低コストで得られ、機械化及び自動化も可能となる。
【産業上の利用可能性】
【００６４】
以上説明したように、本発明に係る遺体の体腔封止部材は、これを用いることで遺体の体液漏れ出しを防止する作業を未熟練者でも容易に行うことができ、遺体の処置用等として有用である。
【図１】
0004602348.tif 000002
【図２】
0004602348.tif 000003
【図３】
0004602348.tif 000004
【図４】
0004602348.tif 000005
【図５】
0004602348.tif 000006
【図６】
0004602348.tif 000007
【図７】
0004602348.tif 000008
【図８】
0004602348.tif 000009
【図９】
0004602348.tif 000010
【図１０】
0004602348.tif 000011
【図１１】
0004602348.tif 000012
【図１２】
0004602348.tif 000013
【図１３】
0004602348.tif 000014
【図１４】
0004602348.tif 000015
【図１５】
0004602348.tif 000016
【図１６】
0004602348.tif 000017
【図１７】
0004602348.tif 000018
【図１８】
0004602348.tif 000019
【図１９】
0004602348.tif 000020
【図２０】
0004602348.tif 000021
【図２１】
0004602348.tif 000022
【図２２】
0004602348.tif 000023